(57)【要約】【課題】  カラーＩＦａｘ送信を明示的に示すため、ＴＩＦＦではなく、ＴＩＦＦ−ＦＸ（ＴＦＸ）という形式で送信することが行われつつある。しかし、このファイル形式をサポートしていない機種では、サポートしていないファイル形式として、受信が出来ない。【解決手段】  カラー文書をインターネットFaxで送信する場合、TIFFファイル形式で送信するか、TIFF-FXファイル形式で送信するか選択できるようにして、ユーザの使用環境に応じ、適切な形式で送信する。【選択図】  図１
2007135074.tif 000002
【特許請求の範囲】
【請求項１】
通信ネットワークに接続され、ユーザからの指示を受け付ける操作パネルを備え、機器が備える原稿読み取り手段もしくは、データ受信手段を介して得られた電子化された文書を、指定された宛先に送信を行うデータ送信システムにおいて、
送信宛先を保持するアドレス帳と、
電子化された文書を、インターネットFax形式文書に変換する手段と、
送信するインターネットFax形式文書に含まれる画像の種類を選択する手段と、
送信時の設定をカラー文書送信設定、白黒文書送信設定に保持する手段と、
送信する文書が白黒かカラーか判定する手段と、
を備え、
送信する文書がカラー文書であった場合、前記カラー文書送信設定に従い、インターネットFax文書に含まれる画像ファイルの形式を自動的に切り替えて、指定された宛先に送信すること
を特徴とするデータ送信システム。
【請求項２】
通信ネットワークに接続され、ユーザからの指示を受け付ける操作パネルを備え、機器が備える原稿読み取り手段もしくは、データ受信手段を介して得られた電子化された文書を、指定された宛先に送信を行うデータ送信システムにおいて、
送信宛先と、送信宛先毎に、相手先の能力を保持するアドレス帳と、
電子化された文書を、インターネットFax形式文書に変換する手段と、
送信するインターネットFax形式文書に含まれる画像の種類を選択する手段と、
送信時の設定をカラー文書送信設定、白黒文書送信設定に保持する手段と、
送信する文書が白黒かカラーか判定する手段と、
を備え、
送信する文書がカラー文書であった場合、アドレス帳に保持されている送信相手先の能力を参照し、前記カラー文書送信設定よりも優先して、インターネットFax文書に含まれる画像ファイルの形式を自動的に切り替えて、指定された宛先に送信すること
を特徴とするデータ送信システム。
【発明の詳細な説明】
【技術分野】
【０００１】
この発明は、原稿読み取り装置で読み取られ電子化された文書、もしくは、システムの受信手段によって取り込まれ電子化された文書を、Fax形式文書に変換し、ネットワーク経由で指定された宛先へ送信するデータ送信システムに関する。
【背景技術】
【０００２】
このようなシステムの例として、RFC2305,2532で規格化されたインターネットFaxが挙げられる。この規格では、相互運用のため、通信手順や、送信される文書のサイズ、解像度、圧縮形式、色空間等が定められている。
【０００３】
近年、ネットワーク環境の向上に伴い、従来の白黒文書に加え、カラー文書の送受信も行われるようになってきた。このとき、カラー文書はLabの色空間でJPEG圧縮され、TIFFファイルとして送信される。
【特許文献１】特開2003-051951号公報
【発明の開示】
【発明が解決しようとする課題】
【０００４】
インターネットFax規格にのっとり、カラー文書の受信能力を持つインターネットFax機で、このようなLabの色空間でJPEG圧縮された画像を含むTIFFファイルを受信し、印刷する場合は問題ない。しかしながら、インターネットFaxは電子メールの規格を拡張しているため、専用機のみならず、通常の電子メールの宛先に対し送信することもできる。この場合、送信された文書は、電子メールの添付ファイルとして送信される。
【０００５】
ところが、一般的なパーソナルコンピュータの環境で流通しているTIFFファイルでは、画像がLabの色空間でJPEG圧縮されているものは一般的ではない。したがって、電子メールの添付ファイルとして送信されたカラー文書をコンピュータ上のアプリケーションで表示させると、表示できなかったり、正しくない色味で表示されることが多い。
【０００６】
このため、明示的にカラーのインターネットFax文書であることを示すため、TIFF-FXというファイル形式で送信することも行われつつある。これにより、パーソナルコンピュータ上のアプリケーションで、一般的なTIFFファイルとして扱われることは無くなる。しかし、この形式をサポートしていない既存のインターネットFax機では、そもそも受信、印刷することが出来なくなってしまう。
【課題を解決するための手段】
【０００７】
このような問題を解決するため、
通信ネットワークに接続され、送信宛先、送信設定等、ユーザからの指示を受け付ける操作パネルを備え、機器が備える原稿読み取り手段もしくは、データ受信手段を介して得られた電子化された文書を、指定された宛先に送信を行うシステムにおいて、
送信宛先を保持するアドレス帳と、
電子化された文書を、インターネットFax形式文書に変換する手段と、
送信するインターネットFax形式文書に含まれる画像の種類を選択する手段と、
送信時の設定をカラー文書送信設定、白黒文書送信設定に保持する手段と、
送信する文書が白黒かカラーか判定する手段と、
を設け、
送信する文書がカラー文書であった場合、前記カラー文書送信設定に従い、インターネットFax文書に含まれる画像ファイルの形式を自動的に切り替えて、指定された宛先に送信する
ようにした。
【０００８】
また、前記システムにおいて、
送信宛先と、送信宛先毎に、相手先の能力を保持するアドレス帳と、
電子化された文書を、インターネットFax形式文書に変換する手段と、
送信するインターネットFax形式文書に含まれる画像の種類を選択する手段と、
送信時の設定をカラー文書送信設定、白黒文書送信設定に保持する手段と、
送信する文書が白黒かカラーか判定する手段と、
を設け、
送信する文書がカラー文書であった場合、アドレス帳に保持されている送信相手先の能力を参照し、前記カラー文書送信設定よりも優先して、インターネットFax文書に含まれる画像ファイルの形式を自動的に切り替えて、指定された宛先に送信するようにした。
【発明の効果】
【０００９】
カラー文書をインターネットFaxで送信する場合、TIFFファイル形式で送信するか、TIFF-FXファイル形式で送信するか選択できるため、ユーザの使用環境に応じ、適切な形式で送信することができる。
【００１０】
また、
TIFF-FXをサポートしている宛先にはTIFF-FXファイル形式、そうでない宛先に対してはTIFFファイル形式と、送信宛先ごとに自動的に選択され送信されるため、受信側で適切に処理することができる。
【発明を実施するための最良の形態】
【００１１】
次に、本発明の詳細を実施例の記述に従って説明する。
【実施例１】
【００１２】
以下、図面を参照して詳細に説明する。
【００１３】
図１は、本実施例が適用される複合機器のブロック図を示したものである。
【００１４】
この複合機器は、画像形成部101、制御部102、フィニッシャー103、スキャナ部104、操作部105、複数の受信インターフェース106、複数の送信インターフェース107から構成されており、それぞれ専用インターフェースで制御部102に接続されている。また、制御部102は、中央処理装置108と、記憶装置109とから、その主要部が構成されている。
【００１５】
スキャナ部104に原稿をセットもしくは、操作部105から、既に記憶装置109に保存されている文書を指定し、操作部105から送信宛先を選択し、送信を指示する。送信にあたり、必要とする画像変換を行う。
【００１６】
図２は、本実施例が適用される、システムを表した図である。
【００１７】
この図において、201は本実施例が適用される複合機、202はサーバ、203は送信宛先となる対抗機であり、それぞれがネットワークに接続されている。
【００１８】
図３は、本実施例における、読み込んだ文書を送信する処理を表した流れ図である。
【００１９】
まず、操作部105から、新規宛先として直接もしくは、アドレス帳から、既にシステムに登録されている送信宛先を選択し(S301)、読み込み解像度、原稿サイズ、カラー/白黒設定など、原稿読み込み方法を設定すし(S302)、スキャナ部104にセットされた原稿を、S302で設定された読み取り方法に従い読み取り、電子化して記憶装置109に蓄積する(S303)。
【００２０】
続いて、中央処理装置108で、スキャナ部104にセットされたすべての原稿を読み取ったか否か判定する(S304)。S304での判定がNoならば処理は再びS303に戻り、Yesならば、再び中央処理装置108で、S303で読み取り、蓄積した原稿が、カラー読み取りされたものか否か判定する(S305)。
【００２１】
S305での判定がYesならば、記憶装置108に保存されているカラー送信時の設定を読み出し(S306)、Noならば、白黒送信時の設定を参照する(S315)。
【００２２】
S306,S314での送信時設定の参照に続き、送信文書名を決定する(S307)。送信文書名は、ユーザの指定もしくは送信指示がなされた時刻から生成し、その拡張子は原稿が白黒二値で読み込まれたものならばTIF、カラー原稿であり、S306で参照したカラー送信設定に、TIFF-Xで送信する設定がなされていれば、TFX,そうでなければTIFとなる。
【００２３】
続いて、送信インターフェイス107を介し、S301で選択した送信宛先に送信するため、SMTPの手順を用い、メールサーバとのコネクションを確立し(S308)、送信宛先、送信元情報、ファイル名等のヘッダ情報を送信する(S309)。
【００２４】
続いて、中央処理装置108で、S303で読み込み、記憶措置109に蓄積された画像を、送信に適した形式に変換し(S310)、S310で得られた変換結果画像を、S308で確立したコネクションを通じ、メールサーバに送信する(S311)。
【００２５】
S311の処理後、中央処理装置108で読み取られた全ページの送信が終了したか否か判定し(S312)、S312の判定がYesならば、S308で確立したコネクションを切断し(S313)、記憶装置109の所定のエリアに送信結果ログを書き込み(S314)、処理は終了する。
【００２６】
S312の判定がNoならば、処理はS310に戻る。
【００２７】
図４は、本実施例における、画像変換処理を表した流れ図である。
【００２８】
まず、中央処理装置108で、S303で読み取った画像の解像度を参照し、送信時画像の解像度を算出し(S401)、読み取った画像の主走査、副走査画素数から、送信画像の回転角度を算出し(S402)、元画像の変倍率を算出し(S403)、送信画像が規格に定められたサイズの画像になるように、主副画素数を算出しする(S403)。
【００２９】
続いて、中央処理装置108で、S303で読み取った画像が白黒二値画像か否か判定する(S405)。S405の判定がYesならば、読み取った画像に施す圧縮処理の方式をMMR方式とし(S406)、送信ファイル形式をTIFFファイルとする(S407)。
【００３０】
S405の判定がNoならば、読み取った画像に施す圧縮処理の方式をJPEG方式とし(S410)、その画像の色空間をLabとする(S411)。
【００３１】
続いて、S306で記憶装置の所定の場所から読み取ったカラー送信時の設定が、カラー画像の送信時、TIFF-FX形式で送信するよう設定されているか否か判定する(S412)。S412の判定がYesならば、送信ファイル形式をTIFF-FXとし(S413)、NoならばTIFFファイル形式とする(S414)。
【００３２】
以上、変換元画像と決定した変換パラメータをセットし(S406)、画像変換モジュールに変換処理を依頼し(S409)、処理は終了する。
【実施例２】
【００３３】
カラー送信の場合、TIFF-FXで送信するか否かを機器の設定として持ち、すべての宛先に対して適用するよりも、個々の送信宛先にTIFF-FXの受信能力の有無の判断手段を持ち、送信時にそれを参照して切り替えれば、より確実な処理を行うことができる。
【００３４】
図５は、第二の実施例における、読み込んだ文書を送信する処理を表した流れ図である。
【００３５】
まず、操作部105から、新規宛先として直接もしくは、アドレス帳から、既にシステムに登録されている送信宛先を選択し(S501)、読み込み解像度、原稿サイズ、カラー/白黒設定など、原稿読み込み方法を設定すし(S５02)、スキャナ部104にセットされた原稿を、S502で設定された読み取り方法に従い読み取り、電子化して記憶装置109に蓄積する(S503)。
【００３６】
続いて、中央処理装置108で、スキャナ部104にセットされたすべての原稿を読み取ったか否か判定する(S504)。S504での判定がNoならば処理は再びS503に戻り、Yesならば、再び中央処理装置108で、S503で読み取り、蓄積した原稿が、カラー読み取りされたものか否か判定する(S505)。
【００３７】
S505での判定がYesならば、記憶装置108に保存されているカラー送信時の設定を読み出し(S506)、Noならば、白黒送信時の設定を参照する(S516)。
【００３８】
S506,S516での送信時設定の参照に続き、S501で指定された送信宛先の受信能力を参照し(S507)、送信文書名を決定する(S508)。送信文書名は、ユーザの指定もしくは送信指示がなされた時刻から生成し、その拡張子は原稿が白黒二値で読み込まれたものならばTIF、カラー原稿であり、S507で参照した送信宛先が、TIFF-Xでの受信能力を持っていればTFX,そうでなければTIFとなる。
【００３９】
続いて、送信インターフェイス107を介し、S501で選択した送信宛先に送信するため、SMTPの手順を用い、メールサーバとのコネクションを確立し(S509)、送信宛先、送信元情報、ファイル名等のヘッダ情報を送信する(S510)。
【００４０】
続いて、中央処理装置108で、S503で読み込み、記憶措置109に蓄積された画像を、送信に適した形式に変換し(S511)、S511で得られた変換結果画像を、S509で確立したコネクションを通じ、メールサーバに送信する(S512)。
【００４１】
S512の処理後、中央処理装置108で読み取られた全ページの送信が終了したか否か判定し(S513)、S513の判定がYesならば、S509で確立したコネクションを切断し(S514)、記憶装置109の所定のエリアに送信結果ログを書き込み(S515)、処理は終了する。
【００４２】
S513の判定がNoならば、処理はS511に戻る。
【図面の簡単な説明】
【００４３】
【図１】本発明が適用される複合機器のブロック図を示したものである。
【図２】本実施例が適用される、システムを表した図である。
【図３】本実施例における、読み込んだ文書を送信する処理を表した流れ図である。
【図４】本実施例における、画像変換処理を表した流れ図である。
【図５】第二の実施例における、読み込んだ文書を送信する処理を表した流れ図である。
【図６】第一の実施例における、機器に設定された送信時の設定の例である。
【図７】第二の実施例における、機器に保存されている送信宛先の一例である。
【符号の説明】
【００４４】
101  画像形成部
102  制御部
103  フィニッシャー
104  スキャナ部
105  操作部
106  受信インターフェース
107  送信インターフェース
108  中央処理装置
109  記憶装置
【図１】
2007135074.tif 000003
【図２】
2007135074.tif 000004
【図３】
2007135074.tif 000005
【図４】
2007135074.tif 000006
【図５】
2007135074.tif 000007
【図６】
2007135074.tif 000008
【図７】
2007135074.tif 000009